(57)【要約】【課題】表示画面にスルー画像もしくは再生画像とともに撮影済みの画像を表示するとき、表示画面に余白領域を設ける必要がない表示装置および撮像装置を提供する。【解決手段】本発明は、撮像素子が撮像しているスルー画像、またはメモリカード５００に記録された画像データを再生した再生画像に重畳して、半透明で、スルー画像の大きさまたは再生画像の大きさより小さい小画像として、メモリカード５００に記録された画像データの画像を表示モニタ３０１に表示するシステムＬＳＩ２０１を備える。【選択図】図２
2008294704.tif 000002
【特許請求の範囲】
【請求項１】
撮像素子が撮像しているスルー画像、または記録媒体に記録された画像データを再生した再生画像を表示する表示器と、
前記スルー画像または前記再生画像に重畳して、前記スルー画像または前記再生画像より小さい小画像として、前記記録媒体に記録された画像データの半透明画像を前記表示器に表示する表示制御手段とを備えることを特徴とする表示装置。
【請求項２】
請求項１に記載の表示装置において、
前記表示制御手段は、前記小画像を表示してから所定時間経過後に前記小画像を消去することを特徴とする表示装置。
【請求項３】
請求項１または２に記載の表示装置において、
前記表示制御手段は、前記小画像を小さな透過率で表示した後、前記透過率を徐々に増加させ、前記小画像を半透明にすることを特徴とする表示装置。
【請求項４】
請求項１乃至３のいずれか１項に記載の表示装置において、
前記表示制御手段は、前記スルー画像または前記再生画像に応じて、前記表示器における前記小画像の表示位置を変更することを特徴とする表示装置。
【請求項５】
請求項４に記載の表示装置において、
前記表示制御手段は、前記スルー画像または前記再生画像が顔認識機能を動作させて撮影された画像である場合、前記顔認識機能により認識した顔の位置と重複しない位置に前記小画像を表示することを特徴とする表示装置。
【請求項６】
請求項４に記載の表示装置において、
前記表示制御手段は、前記スルー画像または前記再生画像における焦点調整領域と重複しない位置に前記小画像を表示することを特徴とする表示装置。
【請求項７】
請求項１乃至６のいずれか１項に記載の表示装置において、
前記表示制御手段は、前記スルー画像または再生画像の明度、彩度、色相、輝度のうちの少なくともひとつに応じて、前記小画像の明度、彩度、色相、輝度のうちの少なくともひとつを変更することを特徴とする表示装置。
【請求項８】
請求項１乃至７のいずれか１項に記載の表示装置において、
前記表示制御手段は、前記スルー画像または再生画像の明度、彩度、色相、輝度のうちの少なくともひとつに応じて、前記小画像の透過率を変更することを特徴とする表示装置。
【請求項９】
請求項１乃至８のいずれか１項に記載の表示装置において、
前記表示制御手段は、前記スルー画像または前記再生画像に重畳して、前記スルー画像に関する情報または前記再生画像に関する情報を表示した半透明情報表示画像を表示することを特徴とする表示装置。
【請求項１０】
請求項１乃至９のいずれか１項に記載の表示装置と、
被写体を撮像する撮像素子と、
前記撮像素子で撮像した画像データを記録媒体に記録する記録手段とを備えることを特徴とする撮像装置。
【発明の詳細な説明】
【技術分野】
【０００１】
本発明は、表示装置および撮像装置に関する。
【背景技術】
【０００２】
表示モニタの画像表示領域にスルー画像または再生画像を表示するとともに、その余白領域に再生画像またはスルー画像を表示する撮像装置が従来技術として知られている（たとえば、特許文献１参照）。
【特許文献１】特開２００５−２６０７９８号公報
【発明の開示】
【発明が解決しようとする課題】
【０００３】
特許文献１に記載されているような撮像装置では、余白領域を設けなくてはならないために、画像表示領域に表示するスルー画像または記録媒体に記録されている画像を縮小しなくてはならない場合があるという問題点がある。
【課題を解決するための手段】
【０００４】
（１）請求項１の発明の表示装置は、撮像素子が撮像しているスルー画像、または記録媒体に記録された画像データを再生した再生画像を表示する表示器と、スルー画像または再生画像に重畳して、スルー画像または再生画像より小さい小画像として、記録媒体に記録された画像データの半透明画像を表示器に表示する表示制御手段とを備えることを特徴とする。
（２）請求項２の発明は、請求項１に記載の表示装置において、表示制御手段は、小画像を表示してから所定時間経過後に小画像を消去することを特徴とする。
（３）請求項３の発明は、請求項１または２に記載の表示装置において、表示制御手段は、小画像を小さな透過率で表示した後、前記透過率を徐々に増加させ、小画像を半透明にすることを特徴とする。
（４）請求項４の発明は、請求項１乃至３のいずれか１項に記載の表示装置において、表示制御手段は、スルー画像または再生画像に応じて、表示器における小画像の表示位置を変更することを特徴とする。
（５）請求項５の発明は、請求項４に記載の表示装置において、表示制御手段は、スルー画像または再生画像が顔認識機能を動作させて撮影された画像である場合、顔認識機能により認識した顔の位置と重複しない位置に小画像を表示することを特徴とする。
（６）請求項６の発明は、請求項４に記載の表示装置において、表示制御手段は、スルー画像または再生画像における焦点調整領域と重複しない位置に小画像を表示することを特徴とする。
（７）請求項７の発明は、請求項１乃至６のいずれか１項に記載の表示装置において、表示制御手段は、スルー画像または再生画像の明度、彩度、色相、輝度のうちの少なくともひとつに応じて、小画像の明度、彩度、色相、輝度のうちの少なくともひとつを変更することを特徴とする。
（８）請求項８の発明は、請求項１乃至７のいずれか１項に記載の表示装置において、表示制御手段は、スルー画像または再生画像の明度、彩度、色相、輝度のうちの少なくともひとつに応じて、小画像の透過率を変更することを特徴とする。
（９）請求項９の発明は、請求項１乃至８のいずれか１項に記載の表示装置において、表示制御手段は、スルー画像または再生画像に重畳して、スルー画像に関する情報または再生画像に関する情報を表示した半透明情報表示画像を表示することを特徴とする。
（１０）請求項１０の発明の撮像装置は、請求項１乃至９のいずれか１項に記載の表示装置と、被写体を撮像する撮像素子と、撮像素子で撮像した画像データを記録媒体に記録する記録手段とを備えることを特徴とする。
【発明の効果】
【０００５】
本発明によれば、スルー画像または再生画像に小画像が重なっても、重なった部分の画像を視認することができる。したがって、小画像を表示するための余白領域を表示画面に設けるために、スルー画像または再生画像を縮小する必要がない。
【発明を実施するための最良の形態】
【０００６】
以下、図を参照して本発明の実施の形態を説明する。図１は本発明の実施形態による撮像装置１を示す図である。図１（ａ）は撮像装置１を斜め前方から見た図あり、図１（ｂ）は撮像装置１を斜め後方から見た図である。図１（ａ）に示すように、撮像装置１の正面には、撮像光学系１０１を構成する撮影レンズ１０１Ａが設けられている。撮像装置１の上面には、撮影動作を行わせるためのレリーズボタン４０１が設けられている。この撮像装置１は、被写体を撮影したときの画像データを不図示のメモリカードに記録する撮影モードと、カメラ背面に設けられた表示モニタ３０１に撮影画像を再生表示する再生モードとを備えている。この撮影モードと再生モードとの切換操作は、撮影再生切替ボタン４０２により行う。
【０００７】
撮影モードで被写体を撮影したとき、画像データとともに撮影条件のデータもＥＸｉｆ（ Exchangeable Image File Format ）情報としてメモリカードに記憶する。また、被写体を撮影すると、撮影した画像のサムネイル画像も作成し、そのサムネイル画像の画像データも撮影した画像の画像データとともにメモリカードに記憶する。
【０００８】
図１（ｂ）に示すように、撮像装置背面には、画像表示用の表示モニタ３０１と、操作ボタン４０２〜４０６とが設けられている。撮影モード時には、後述するＣＣＤ１０２により撮像された被写体像が表示モニタ３０１に逐次表示される。以下、このように逐次表示される画像をスルー画像と呼ぶ。一方、再生モード時には、メモリカードに記録されている画像のサムネイル表示や、個々の画像の再生表示などが表示モニタ３により行われる。本発明の実施形態における撮影モード時および再生モード時における表示モニタ３０１の画像表示については後述する。
【０００９】
４０３は、各種設定を行う際の設定メニューを表示モニタ３０１に表示させるためのメニューボタンである。メニューボタン４０３を操作して設定メニューを表示させ、選択スイッチ４０４を操作することにより設定すべき項目を選択することができる。
【００１０】
４０５は、撮影モード時および再生モード時において、サムネイル画像や撮影条件などを表示するためのクイックビューボタンである。クイックビューボタン４０５は、撮影モード時には前回撮影した撮影画像のサムネイル画像をスルー画像と重ねて表示したり、撮影の設定条件をスルー画像と重ねて表示したりするためのボタンである。また、クイックビューボタン４０５は、再生モード時には再生した再生画像とともに再生画像と前後して撮影した２つの画像をサムネイル画像として再生画像に重ねて表示したり、再生画像のＥｘｉｆ情報を再生画像と重ねて表示したりするためのボタンである。
【００１１】
４０６は、撮影モード時および再生モード時において各種カメラ設定を行うための設定ボタンである。設定ボタン４０６は、撮影モード時にはフォーカスモード設定をするフォーカスモードボタンとして機能し、再生モード時には表示モニタ３０１にサムネイル画像を表示させるためのサムネイルボタンとして機能する。
【００１２】
図２は、撮像装置１の構成を示すブロック図である。本実施の形態の撮像装置は、ＣＣＤ撮像素子１０２を有する撮像部１００、システムＬＳＩ２０１を中心とするデジタル回路部２００、画像再生部３００および操作部４００等により構成されている。また、メモリカード５００は撮像装置１に対して着脱自在に設けられている。ＣＣＤ撮像素子１０２は複数の画素が二次元的に配設されたエリア型の撮像素子であり、ＣＣＤ撮像素子１０２の撮像面上には撮影光学系１０１により被写体像が結像される。本実施形態では、撮像素子としてＣＣＤ型の撮像素子を例に説明するが、ＣＭＯＳ型の撮像素子などでもよい。ＣＣＤ撮像素子１０２において被写体像は光電変換され、被写体像に応じた電気信号がＣＣＤ撮像素子１０２からアナログ信号処理回路１０３に入力される。
【００１３】
アナログ信号処理回路１０３はＡＧＣ（利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１０４によってデジタル信号に変換され、デジタル回路部２００のシステムＬＳＩ２０１に入力される。ＴＧ（タイミングジェネレータ）回路１０５はＣＣＤ撮像素子１０２，アナログ信号処理回路１０３およびＡ／Ｄ変換回路１０４のそれぞれに動作タイミング信号を出力し、これらの間の動作タイミングを制御する。
【００１４】
デジタル回路部２００のシステムＬＳＩ２０１では、Ａ／Ｄ変換回路１０４から入力されたデジタル画像データに対して、画像サイズ変更、ホワイトバランス処理、ガンマ補正等のデジタル信号処理およびデータ圧縮処理などが行われる。プログラムメモリを構成するＲＯＭ２０３にはこれらの処理に関するプログラムや撮像装置全体の制御プログラムが記憶されており、不図示のメインスイッチがオンされるとシステムＬＳＩ２０１により制御プログラムが実行される。画像メモリを構成するＲＡＭ２０２は、撮像部１００から入力された画像データの一時記憶や各種画像処理や画像圧縮／伸張処理の際のバッファメモリとして利用される。
【００１５】
画像再生部３００には、上述した表示モニタ３０１と、その表示モニタ３０１の駆動制御を行うモニタコントローラ３０２とが設けられている。操作部４００には、上述したレリーズボタン４０１、撮影再生切替ボタン４０２、メニューボタン４０３、選択スイッチ４０４、クイックビューボタン４０５および設定ボタン４０６などで構成される。
【００１６】
−撮影モード−
次に、本発明の実施形態における撮影モード時の表示モニタ３０１の画像表示について説明する。
【００１７】
図３（ａ）に示すように、スルー画像１０Ａが表示モニタ３０１に表示されているとき、クイックビューボタン４０５を押圧する。その結果、図３（ｂ）に示すように、スルー画像１０Ａに重ねて、前回撮影した画像のサムネイル画像２０Ａが表示される。サムネイル画像２０Ａは半透明で表示されるため、スルー画像１０Ａのサムネイル画像２０Ａと重なった部分についても視認可能となる。
【００１８】
サムネイル画像２０Ａが表示されてから、所定時間（たとえば１０秒）経過すると、サムネイル画像２０Ａの表示は終了し、図３（ａ）の表示に戻る。
【００１９】
サムネイル画像２０Ａがスルー画像１０Ａに重畳して表示されているとき、クイックビューボタン４０５を押圧する。その結果、図４（ａ）に示すように、撮像装置１に設定されている撮影モードや撮影条件設定をアイコンで表示するアイコン表示画面３０Ａおよび文字や数字などで表示する情報表示画面４０Ａが表示される。アイコン表示画面３０Ａおよび情報表示画面４０Ａは半透明で表示されるため、スルー画像１０Ａのアイコン表示画面３０Ａまたは情報表示画面４０Ａと重なった部分についても視認可能となる。
【００２０】
アイコン表示画面３０Ａおよび情報表示画面４０Ａが表示されてから、所定時間（たとえば１０秒）経過すると、サムネイル画像２０Ａの表示は終了し、図３（ａ）の表示に戻る。
【００２１】
また、図３（ａ）に示すように、スルー画像１０Ａが表示モニタ３０１に表示されているとき、メニューボタン４０３を押圧する。その結果、図４（ｂ）に示すように、スルー画像１０Ａに重ねて、設定メニュー５０Ａが表示される。設定メニュー５０Ａには、ホワイトバランスの条件を選択するための項目が表示される。ユーザは選択スイッチ４０４を操作して項目を選択する。設定メニュー５０Ａは半透明で表示されるため、スルー画像１０Ａの設定メニュー５０Ａと重なった部分についても視認可能となる。
【００２２】
設定メニュー５０Ａが表示されてから、所定時間（たとえば１０秒）経過すると、設定メニュー５０Ａの表示は終了し、図３（ａ）の表示に戻る。
【００２３】
次に、本発明の実施形態における撮影モード時における画像表示制御処理について、図５〜図７のフローチャートを参照して説明する。図５〜図７の処理は、撮影再生切替ボタン４０２の操作によって、撮影モードに切り替わるとスタートするプログラムによりシステムＬＳＩ２０１において実行される。
【００２４】
ステップＳ５０１では、スルー画像１０Ａを表示モニタ３０１に表示する。ステップＳ５０２では、クイックビューボタン４０５が押圧されたか否かを判定する。クイックビューボタン４０５が押圧された場合はステップＳ５０２が肯定判定され、ステップＳ５０３へ進む。クイックビューボタン４０５が押圧されていない場合はステップＳ５０２が否定判定され、ステップＳ５０８へ進む。
【００２５】
ステップＳ５０３では、前回撮影した画像のサムネイル画像をメモリカード５００から読み出す。前回撮影した画像は、Ｅｘｉｆ情報の中の撮影日時の情報から判断され、最も新しい撮影日時の画像が前回撮影した画像となる。ステップＳ５０４では、半透明状態（透過率５０％）で、スルー画像１０Ａに重ねてサムネイル画像２０Ａを表示モニタ３０１に表示する。
【００２６】
サムネイル画像２０Ａを表示モニタ３０１に表示してからカウントアップを行い、ステップＳ５０５では、サムネイル画像２０Ａを表示モニタ３０１に表示してから所定時間（たとえば１０秒）経過したか否かを判定する。サムネイル画像２０Ａを表示モニタ３０１に表示してから所定時間経過した場合はステップＳ５０５が肯定判定され、ステップＳ５０６へ進む。サムネイル画像２０Ａを表示モニタ３０１に表示してから所定時間経過していない場合はステップＳ５０５が否定判定され、ステップＳ５０９へ進む。
【００２７】
ステップＳ５０６では、サムネイル画像２０Ａの表示を終了する。ステップＳ５０７では、撮像装置１が撮影モードであるか否かを判定する。撮像装置１が撮影モードである場合はステップＳ５０７が肯定判定され、ステップＳ５０２に戻る。撮像装置１が撮影モードでない場合、つまり、再生モードである場合はステップＳ５０７が否定判定され、処理は終了する。
【００２８】
ステップＳ５０８では、メニューボタン４０３が押圧されたか否かを判定する。メニューボタン４０３が押圧された場合はステップＳ５０８が肯定判定され、図６のステップ６０１へ進む。メニューボタン４０３が押圧されていない場合はステップＳ５０８が否定判定され、ステップＳ５０２に戻る。
【００２９】
ステップＳ５０９では、クイックビューボタン４０５が押圧されたか否かを判定する。クイックビューボタン４０５が押圧された場合はステップＳ５０９が肯定判定され、図７のステップ７０１へ進む。クイックビューボタン４０５が押圧されていない場合はステップＳ５０９が否定判定され、ステップＳ５０５に戻る。
【００３０】
図６のステップＳ６０１では、サムネイル画像２０Ａの表示を終了する。ステップＳ６０２では、半透明状態（透過率５０％）で、スルー画像１０Ａに重ねて設定メニュー５０Ａを表示モニタ３０１に表示する。
【００３１】
設定メニュー５０Ａを表示モニタ３０１に表示してからカウントアップを行い、ステップＳ６０３では、設定メニュー５０Ａを表示モニタ３０１に表示してから所定時間（たとえば１０秒）経過したか否かを判定する。設定メニュー５０Ａを表示モニタ３０１に表示してから所定時間経過した場合はステップＳ６０３が肯定判定され、ステップＳ６０４へ進む。設定メニュー５０Ａを表示モニタ３０１に表示してから所定時間経過していない場合はステップＳ６０３が否定判定され、ステップＳ６０５へ進む。
【００３２】
ステップＳ６０４では、設定メニュー５０Ａの表示を終了する。そして、図５のステップＳ５０７へ進む。
【００３３】
ステップＳ６０５では、選択スイッチ４０４が操作されて、設定メニュー５０Ａの中から項目が選択されたか否かを判定する。設定メニュー５０Ａの中から項目が選択された場合はステップＳ６０５が肯定判定され、ステップＳ６０４へ進む。設定メニュー５０Ａの中から項目が選択されない場合はステップＳ６０５が否定判定され、ステップＳ６０３へ戻る。
【００３４】
図７のステップＳ７０１では、サムネイル画像２０Ａの表示を終了する。ステップＳ７０２では、半透明状態（透過率５０％）で、スルー画像１０Ａに重ねてアイコン表示画面３０Ａおよび情報表示画面４０Ａを表示モニタ３０１に表示する。
【００３５】
アイコン表示画面３０Ａおよび情報表示画面４０Ａを表示モニタ３０１に表示してからカウントアップを行い、ステップＳ７０３では、アイコン表示画面３０Ａおよび情報表示画面４０Ａを表示モニタ３０１に表示してから所定時間（たとえば１０秒）経過したか否かを判定する。アイコン表示画面３０Ａおよび情報表示画面４０Ａを表示モニタ３０１に表示してから所定時間経過した場合はステップＳ７０３が肯定判定され、ステップＳ７０４へ進む。アイコン表示画面３０Ａおよび情報表示画面４０Ａを表示モニタ３０１に表示してから所定時間経過していない場合はステップＳ７０３を繰り返す。
【００３６】
ステップＳ７０４では、アイコン表示画面３０Ａおよび情報表示画面４０Ａの表示を終了する。そして、図５のステップＳ５０７へ進む。
【００３７】
−再生モード−
次に、本発明の実施形態の再生モード時における表示モニタ３０１の画像表示について説明する。
【００３８】
図８（ａ）に示すように、再生画像６０Ａが表示モニタ３０１に表示されているとき、クイックビューボタン４０５を押圧する。その結果、図８（ｂ）に示すように、再生画像６０Ａに重ねて、再生画像６０Ａに前後して撮影された２つの画像のサムネイル画像７０Ａ，８０Ａが表示される。最初は、サムネイル画像７０Ａ，８０Ａが小さな透過率で表示されるため、スルー画像１０Ａのサムネイル画像７０Ａ，８０Ａと重なった部分が見えない。
【００３９】
選択スイッチ４０４を操作することによって、メモリカード５００に記録されている画像を再生画像６０Ａとして順次表示させることができる。それに伴い、２つのサムネイル画像７０Ａ，８０Ａも順次切り替わる。
【００４０】
サムネイル画像７０Ａ，８０Ａが表示されてから選択スイッチ４０４が操作されない時間が継続し、その時間が所定時間（たとえば１０秒）以上になると、サムネイル画像７０Ａ，８０Ａの透過率が徐々に増加する。そして、図８（ｃ）に示すように、サムネイル画像７０Ａ，８０Ａは半透明になる。これにより、スルー画像１０Ａのサムネイル７０Ａ，８０Ａと重なった部分についても視認可能となる。
【００４１】
半透明のサムネイル画像７０Ａ，８０Ａが表示されてから、選択スイッチ４０４が操作されずに所定時間（たとえば１０秒）経過すると、サムネイル画像７０Ａ，８０Ａの表示は終了し、図８（ａ）の表示に戻る。一方、半透明のサムネイル画像７０Ａ，８０Ａが表示されてから、所定時間（たとえば１０秒）以内に、選択スイッチ４０４が操作されると、サムネイル画像７０Ａ，８０Ａは小さな透過率になり、図８（ｂ）の表示に戻る。
【００４２】
次に、本発明の実施形態における再生モード時における表示モニタ３０１の画像表示制御処理について、図９のフローチャートを参照して説明する。図９の処理は、撮影再生切替ボタン４０２の操作によって、再生モードに切り替わるとスタートするプログラムによりシステムＬＳＩ２０１において実行される。
【００４３】
ステップＳ９０１では、再生画像６０Ａを表示モニタ３０１に表示する。ステップＳ９０２では、クイックビューボタン４０５が押圧されたか否かを判定する。クイックビューボタン４０５が押圧された場合はステップＳ９０２が肯定判定され、ステップＳ９０３へ進む。クイックビューボタン４０５が押圧されていない場合はステップＳ９０２を繰り返す。
【００４４】
ステップＳ９０３では、再生画像６０Ａの前後して撮影された画像におけるサムネイル画像をメモリカード５００から読み出す。再生画像６０Ａの前後して撮影された画像は、Ｅｘｉｆ情報の中の撮影日時の情報から判断される。ステップＳ５０４では、透過率の低い状態で、再生画像６０Ａに重ねてサムネイル画像７０Ａ，８０Ａを表示モニタ３０１に表示する。
【００４５】
ステップＳ９０５では、サムネイル画像７０Ａ，８０Ａを表示モニタ３０１に表示して選択スイッチ４０４が操作されない時間が所定時間（たとえば１０秒）以上になったか否かを判定する。サムネイル画像７０Ａ，８０Ａを表示モニタ３０１に表示して選択スイッチ４０４が操作されない時間が所定時間以上になった場合はステップＳ９０５が肯定判定され、ステップＳ９０６へ進む。サムネイル画像７０Ａ，８０Ａを表示モニタ３０１に表示して選択スイッチ４０４が操作されない時間が所定時間以上になっていない場合はステップＳ９０５を繰り返す。
【００４６】
ステップＳ９０６では、サムネイル画像７０Ａ，８０Ａの透過率を半透明（５０％）になるまで徐々に下げる。たとえば、半透明になるまで１秒経過ごとに透過率を５％ずつ増加する。ステップＳ９０７では、半透明（透過率５０％）のサムネイル画像７０Ａ，８０Ａを表示モニタ３０１に表示して選択スイッチ４０４が操作されない時間が所定時間（たとえば１０秒）以上になったか否かを判定する。半透明サムネイル画像７０Ａ，８０Ａを表示モニタ３０１に表示して選択スイッチ４０４が操作されない時間が所定時間以上になった場合はステップＳ９０７が肯定判定され、ステップＳ９０８へ進む。半透明のサムネイル画像７０Ａ，８０Ａを表示モニタ３０１に表示して選択スイッチ４０４が操作されない時間が所定時間以上になっていない場合はステップＳ９０７が否定判定され、ステップＳ９１０へ進む。
【００４７】
ステップＳ９０８では、サムネイル画像７０Ａ，８０Ａの表示を終了する。ステップＳ９０９では、撮像装置１が再生モードであるか否かを判定する。撮像装置１が再生モードである場合はステップＳ９０９が肯定判定され、ステップＳ９０２に戻る。撮像装置１が再生モードでない場合、つまり、撮影モードである場合はステップＳ９０９が否定判定され、処理は終了する。
【００４８】
ステップＳ９１０では、選択スイッチ４０４が操作されたか否かを判定する。選択スイッチ４０４が操作された場合はステップＳ９１０が肯定判定され、ステップ９０４に戻る。選択スイッチ４０４が操作されていない場合はステップＳ９１０が否定判定され、ステップＳ９０７に戻る。
【００４９】
以上説明した実施形態によれば、次の作用効果が得られる。
（１）スルー画像１０Ａまたは再生画像６０Ａに重畳して、スルー画像１０Ａまたは再生画像６０Ａより小さい小画像として、半透明サムネイル画像２０Ａ，７０Ａ，８０Ａを表示モニタ３０１に表示するようにした。これにより、スルー画像１０Ａまたは再生画像６０Ａの小画像２０Ａ，７０Ａ，８０Ａが重なった部分を視認することができる。したがって、表示モニタ３０１の表示画面に余白領域を設けるために、スルー画像１０Ａまたは再生画像６０Ａを縮小する必要がない。
【００５０】
（２）スルー画像１０Ａもしくは再生画像６０Ａに重畳して表示する小画像２０Ａ，７０Ａ，８０Ａを所定時間経過後に消去するようにした。したがって、小画像２０Ａ，７０Ａ，８０Ａを確認した後は、小画像２０Ａ，７０Ａ，８０Ａの表示に邪魔されずに、被写体の撮影や再生画像６０Ａの検討（たとえば、再生画像６０Ａの画像データをメモリカード５００から消去するか否かの検討）に集中することができる。
【００５１】
（３）再生画像６０Ａに重畳して表示する小画像７０Ａ，８０Ａを最初は小さな透過率で表示し、徐々に透過率を増加させ、そして所定時間経過後に消去するようにした。したがって、撮影済みの画像７０Ａ，８０Ａが消去されることを視覚により前もって認識することができ、ユーザの予期しないタイミングで小画像７０Ａ，８０Ａが消去されるのを防止することができる。
【００５２】
（４）スルー画像１０Ａに重畳して、撮像装置１に設定されている撮影モードや撮影条件設定をアイコンで表示するアイコン表示画面３０Ａおよび文字や数字などで表示する情報表示画面４０Ａ、つまりスルー画像１０Ａに関する情報を半透明で表示するようにした。これにより、スルー画像１０Ａのアイコン表示画面３０Ａまたは情報表示画面４０Ａが重なった部分を視認することができる。したがって、撮影するときに有用な情報である撮影モードや撮影条件設定の情報を表示するためにスルー画像１０Ａを縮小する必要がない。
【００５３】
以上の実施形態を次のように変形することができる。
（１）スルー画像１０Ａもしくは再生画像６０Ａに重畳して表示する小画像２０Ａ，７０Ａ，８０Ａの表示位置をスルー画像１０Ａもしくは再生画像６０Ａに応じて変化させるようにしてもよい。スルー画像１０Ａもしくは再生画像６０Ａの中には、半透明の画像であっても重畳すると好ましくない位置がある。上述のように、小画像２０Ａ，７０Ａ，８０Ａの表示位置を変化させることによって、スルー画像１０Ａもしくは再生画像６０Ａの視認性がさらに良くなる。
【００５４】
たとえば、スルー画像１０Ａもしくは再生画像６０Ａに重畳して表示する小画像２０Ａ，７０Ａ，８０Ａの表示位置を、顔認識を行った位置、または焦点調整領域と重複しない位置に変更することが好ましい。顔認識機能を使用して撮影したとき、図１０（ａ）に示すように、顔認識を行い、焦点調節位置（顔認識マーク６１Ａが重畳している顔の位置）とサムネイル画像８０Ａが重なる場合がある。このような場合、図１０（ｂ）に示すように、サムネイル画像７０Ａ，８０Ａの表示位置を、顔認識を行った顔の位置、または焦点を合わせた位置から外れるように変化させてもよい。焦点が被写体に合っているか否かを確認できる。
【００５５】
（２）スルー画像１０Ａもしくは再生画像６０Ａに重畳して表示する小画像２０Ａ，７０Ａ，８０Ａは、半透明であるため視認性がよくない。そこで、小画像２０Ａ，７０Ａ，８０Ａの視認性を良くするため、半透明化に加えて、視認性を向上するための他の画像処理を行うようにしてもよい。
【００５６】
たとえば、図１１に示すように、サムネイル画像２０Ａを半透明にするとともに、サムネイル画像２０Ａのコントラストを強くしたり（ガンマ補正）、サムネイル画像２０Ａのシャープネスを強くしたり（輪郭強調）するようにしてもよい。
【００５７】
図１２（ａ）に示すように、スルー画像１０Ｂの背景色と、サムネイル画像２０Ｂの背景色が同じであるため、サムネイル画像２０Ｂの視認性が悪い場合がある。このような場合は、図１２（ｂ）に示すように、スルー画像１０Ｂと明度、彩度、色相、輝度の中の少なくともひとつを変えてサムネイル画像２０Ｂを表示するようにしてもよい。色相を変えてサムネイル画像２０Ｂを表示する場合、スルー画像１０Ｂと補色関係にある色彩で表示するようにする。たとえば、スルー画像１０Ｂが青色の色味を有している場合、サムネイル画像２０Ｂは黄色の色味で表示するようにしてもよい。
【００５８】
（３）スルー画像１０Ａもしくは再生画像６０Ａの明度、彩度、色相、輝度のうちの少なくともひとつに応じて、スルー画像１０Ａもしくは再生画像６０Ａに重畳して表示する小画像２０Ａ，７０Ａ，８０Ａの透過率を変更させるようにしてもよい。たとえば、図１３に示すように、スルー画像１０Ｃが空を撮影した画像である場合、サムネイル画像２０Ａの明度や彩度などが異なるので、サムネイル画像２０Ａの透過率を５０％より大きくしても撮影済みの画像２０Ａの視認性は悪くならない。このような場合、スルー画像１０Ｃの視認性をさらに良くするため、サムネイル画像２０Ａの透過率を大きくしてもよい。また、サムネイル画像２０Ａの透過率を変更させるとともに、上述の半透明化以外の画像処理を行うようにしてもよい。
【００５９】
（４）スルー画像１０Ａもしくは再生画像６０Ａの一部を拡大して表示モニタ３０１に表示する場合、画像の中で拡大部分の範囲を表示した縮小画面が表示される。その縮小画面をスルー画像１０Ａもしくは再生画像６０Ａに重畳して半透明で表示するようにしてもよい。
【００６０】
たとえば、図１４に示すように、再生画像６０Ａの一部を拡大した拡大画像６２Ａを表示モニタ３０１に表示する。再生画像６０Ａにおける拡大画像６２Ａの範囲を認識できるようにするため、再生画像６０Ａの縮小画面６３Ａに拡大画像６２Ａの範囲を枠６４Ａとして表示する。枠６４Ａの位置は、選択スイッチ４０４の操作によって移動することができ、その移動に伴い拡大する位置も変わる。
【００６１】
縮小画面６３Ａは拡大画像６２Ａに重畳して表示されるため、拡大画像６２Ａを縮小して余白領域を作る必要はない。また、縮小画面６３Ａは半透明で表示されるので、縮小画面６３Ａが重畳表示されている部分においても拡大画像６２Ａを視認することができる。縮小画面６３Ａを表示してから所定時間経過すると、縮小画面６３Ａを消去するようにしてもよい。
【００６２】
（５）図１５に示すように、再生画像６０Ａが表示されているとき、再生画像６０ＡのＥｘｉｆ情報などの画像情報を表示した画像情報画面９０Ａを表示できるようにしてもよい。画像情報画面９０Ａは再生画像６０Ａに重畳して表示されるので、画像情報画面９０Ａを表示する余白領域を作るために、再生画像６０Ａを縮小する必要はない。また、画像情報画面９０Ａは半透明で表示されるので、画像情報画面９０Ａと重なっている部分についても再生画像６０Ａを視認することができる。
【００６３】
（６）撮像装置１が無線ＬＡＮに接続するための無線手段を備えている場合、接続しているアクセスポイント名や無線アダプタ名称、ネットワークタイプ、通信速度、無線チャンネル、暗号化方式、ＩＰアドレス、無線アダプタのＭａｃアドレス、無線ＬＡＮに接続してからの経過時間、電波受信強度などの無線ＬＡＮに関する情報を表示した無線ＬＡＮステータス情報を、スルー画像１０Ａもしくは再生画像６０Ａに重畳して半透明で表示するようにしてもよい。これにより、スルー画像１０Ａまたは再生画像６０Ａの無線ＬＡＮステータス情報が重なった部分を視認することができる。この場合も、表示モニタ３０１の表示画面に無線ＬＡＮステータス情報を表示するための余白領域を設けるために、スルー画像１０Ａまたは再生画像６０Ａを縮小する必要がない。
【００６４】
（７）撮影装置には、表示モニタ３０１にカレンダを表示し、カレンダの中から日付を選択すると、その日に撮影された再生画像を表示する機能を有するものがある。これは、メモリカード５００に記憶されているＥｘｉｆ情報の撮影日時に基づいて、画像データを読み出し、選択された日に撮影された画像を表示モニタ３０１に表示するようにしている。この場合、図１６に示すように、表示モニタ３０１に表示するカレンダ９０Ｂを半透明にするようにしてもよい。カレンダ９０Ｂを再生画像６０Ａに重畳して表示できるので、カレンダ９０Ｂを大きく表示することができる。また、カレンダ９０Ｂを透過して選択された日付の再生画像６０Ａを確認することができ、便利である。
【００６５】
（８）スルー画像１０Ａに重畳して表示する小画像２０Ａについても最初は小さな透過率で表示し、徐々に透過率を増加させ、そして所定時間経過後に消去するようにしてもよい。これにより、ユーザの予期しないタイミングで画像２０Ａが消去されるのを防止することができる。
【００６６】
（９）スルー画像１０Ａもしくは再生画像６０Ａに重畳して表示する小画像２０Ａ，７０Ａ，８０Ａを所定時間経過後に消去するようにした。しかし、レリーズボタン４０１を半押しすると、小画像２０Ａ，７０Ａ，８０Ａを消去するようにしてもよい。これにより、ユーザの意図に基づいて小画像２０Ａ，７０Ａ，８０Ａを消去でき便利である。
【００６７】
（１０）スルー画像１０Ａもしくは再生画像６０Ａの小画像２０Ａ，７０Ａ，８０Ａと重なった部分とともに、小画像２０Ａ，７０Ａ，８０Ａも視認することができれば、半透明の小画像２０Ａ，７０Ａ，８０Ａの透過率は実施形態（透過率５０％）に限定されない。
【００６８】
（１１）スルー画像１０Ａもしくは再生画像６０Ａに重畳して表示する小画像２０Ａ，７０Ａ，８０Ａは、スルー画像１０Ａもしくは再生画像６０Ａより小さい画像であれば、サムネイル画像に限定されない。
【００６９】
（１２）スルー画像１０Ａもしくは再生画像６０Ａを表示する表示装置であれば、撮像装置１に限定されない。
【００７０】
以上の説明はあくまで一例であり、本発明は上記実施形態の構成に何ら限定されるものではない。
【図面の簡単な説明】
【００７１】
【図１】本発明の一実施の形態による撮像装置を前方および後方から見た図である。
【図２】撮像装置の構成を説明するブロック図である。
【図３】本発明の実施形態の前回撮影した画像のサムネイル画像の表示を説明するための図である。
【図４】本発明の実施形態のアイコン表示画面、情報表示画面およびメニュー画面を説明するための図である。
【図５】本発明の実施形態における撮影モード時における画像表示制御処理を説明するためのフローチャートである。
【図６】本発明の実施形態における撮影モード時における画像表示制御処理を説明するためのフローチャートである。
【図７】本発明の実施形態における撮影モード時における画像表示制御処理を説明するためのフローチャートである。
【図８】本発明の実施形態の再生画像の前後に撮影した画像のサムネイル画像の表示を説明するための図である。
【図９】本発明の実施形態における再生モード時における画像表示制御処理を説明するためのフローチャートである。
【図１０】再生画像に重畳して表示するサムネイル画像の表示位置の変化を説明するための図である。
【図１１】サムネイル画像のガンマ補正または輪郭強調を説明するための図である。
【図１２】サムネイル画像の明度、彩度、色相、輝度の中の少なくともひとつの変更を説明するための図である。
【図１３】サムネイル画像の透過率の変更を説明するための図である。
【図１４】再生画像を拡大した拡大画像を説明するための図である。
【図１５】画像情報の表示を説明するための図である。
【図１６】カレンダの表示を説明するための図である。
【符号の説明】
【００７２】
１  撮像装置
１００  撮像部
１０１Ａ  撮影レンズ
２００  デジタル回路部
３００  画像再生部
３０１  表示モニタ
４００  操作部
４０１  レリーズボタン
４０２  撮影再生切替ボタン
４０３  メニューボタン
４０４  選択スイッチ
４０５  クイックビューボタン
５００  メモリカード
【図１】
2008294704.tif 000003
【図２】
2008294704.tif 000004
【図３】
2008294704.tif 000005
【図４】
2008294704.tif 000006
【図５】
2008294704.tif 000007
【図６】
2008294704.tif 000008
【図７】
2008294704.tif 000009
【図８】
2008294704.tif 000010
【図９】
2008294704.tif 000011
【図１０】
2008294704.tif 000012
【図１１】
2008294704.tif 000013
【図１２】
2008294704.tif 000014
【図１３】
2008294704.tif 000015
【図１４】
2008294704.tif 000016
【図１５】
2008294704.tif 000017
【図１６】
2008294704.tif 000018